(57)【要約】【課題】断熱パネルの圧壊を防止できる複合パネルの取り付け構造を提供する。【解決手段】複合パネルの取り付け構造１は、梁１０と、外壁パネル２０と外壁パネル２０の裏面を覆う断熱パネル２１とからなる複合パネル１２と、梁１０に取り付けられ複合パネル１２裏面に沿って配置される起立片２３と、一部が起立片２３の裏面にかかるように複合パネル１２の裏面に当接される裏当てプレート１３と、裏当てプレート１３と断熱パネル２１を貫通し、裏当てプレート１３を外壁パネル２０に締め付けるボルト１４と、を有し、該締め付けによって複合パネル１２を起立片２３に取り付ける。複合パネルの取り付け構造１は、断熱パネル２１を貫通し、一端が外壁パネル２０の裏面に当接し他端が起立片２３の前面に当接する圧壊防止部材１５を有している。【選択図】図３
2012122300.tif 000002
【特許請求の範囲】
【請求項１】
梁と、
外壁パネルと該外壁パネルの裏面を覆う断熱パネルとからなる複合パネルと、
前記梁に取り付けられ前記複合パネルの裏面に沿って配置される起立片と、
一部が前記起立片の裏面にかかるように前記複合パネルの裏面に当接される裏当てプレートと、
前記裏当てプレートと前記断熱パネルを貫通し、前記裏当てプレートを前記外壁パネルに締め付ける締め付け部材と、を有し、当該締め付けによって前記複合パネルを前記起立片に取り付ける複合パネルの取り付け構造であって、
前記断熱パネルを貫通し、一端が前記外壁パネルの裏面に当接し他端が前記起立片の前面に当接する、断熱パネルの圧壊防止部材を有し、
前記圧壊防止部材は、前記断熱パネル面において略左右対称となるように複数設けられている、複合パネルの取り付け構造。
【請求項２】
前記圧壊防止部材の前記外壁パネル側の端部には、鍔部が設けられている、請求項１に記載した複合パネルの取り付け構造。
【請求項３】
前記圧壊防止部材の前記起立片側の端部には、鍔部が設けられ、当該鍔部は、建物内部側から目視し得る位置に設けられている、請求項１又は２に記載した複合パネルの取り付け構造。
【発明の詳細な説明】
【技術分野】
【０００１】
本発明は、複合パネルの取り付け構造に関する。
【背景技術】
【０００２】
従来より、柱梁等の軸組に鉄骨部材を用いた鉄骨造建物において、外壁パネル裏面に沿って断熱材を配置することが行われている。
【０００３】
この際、熱橋による断熱性の低下を防止する為に、外壁パネルが軸組を構成する柱や梁などと近接する部位も含め全面的に軸組の外側に断熱層を構成する（すなわち外貼り断熱工法とする）のが好ましい。
【０００４】
一般に断熱材は繊維質材料や発泡性材からなり、圧縮強度が低い。従って、スチール等金属製の枠体の中に断熱材を充填し断熱材に圧縮力が作用して圧壊あるいは押し潰されたたりしないようにする工法が提案されている。（例えば特許文献１、２）
【０００５】
このような枠体を用いた工法は、プレファブ化工法、すなわち現場作業の省力化と品質の均一化を図る為に、予め工場等で外壁パネルと断熱材とを一体化し複合パネルを形成しておき、これを建築現場に運搬して取り付けるという工法を採用する際に、運搬（積み重ね）時や施工（スリングベルトを巻きつけて吊り上げる）時の断熱材の圧壊等を防止することができるという点で有効である。
【０００６】
しかしながら、このような枠体を設ける工法では、枠体が熱橋を形成してしまうという問題や、枠体の使用がコスト増に繋がるという問題がある。また、特に、断熱材として合成樹脂発泡体を板状に成形した断熱パネルを用いる際には、断熱材が自立しているため、枠体がなくとも施工性がよく、変形や位置のずれが生じにくく品質も安定するので、プレファブ化のメリットはあまり大きくない。
一方、本件出願人は、特許文献３において、枠体を用いることなく、外貼り断熱工法を実現する複合パネルの取り付け構造の提案を行っており、断熱パネルの圧壊を防止する補強部材の提案もしている。
【０００７】
この複合パネルの取り付け構造では、梁に取り付けられた起立片の裏面の一部にかかるように複合パネルの裏面に裏当てプレートを当接し、当該裏当てプレートと断熱パネルを貫通するボルトによって複合パネルを起立片に固定している。
【先行技術文献】
【特許文献】
【０００８】
【特許文献１】特開平７−２８６４０４号公報
【特許文献２】特開平１０−１２１６４９号公報
【特許文献３】特開２００５−０３６５８３号公報
【発明の概要】
【発明が解決しようとする課題】
【０００９】
しかし、上記複合パネルの取り付け構造の場合、例えば強風等によって外壁パネルに偏った風圧力が作用すると、ボルトの位置を支点に外壁パネルが動き、それによって断熱パネルに力が加わることが考えられる。この場合、断熱パネルの端縁部で圧壊が起こり得る。
【００１０】
本発明は、例えば外壁パネルに外力が偏って作用しても断熱パネルの圧壊を防止できる、外壁パネルと断熱パネルからなる複合パネルの取り付け構造を提供することを目的とするものである。
【課題を解決するための手段】
【００１１】
上記目的を達成するための本発明は、梁と、外壁パネルと該外壁パネルの裏面を覆う断熱パネルとからなる複合パネルと、前記梁に取り付けられ前記複合パネルの裏面に沿って配置される起立片と、一部が前記起立片の裏面にかかるように前記複合パネルの裏面に当接される裏当てプレートと、前記裏当てプレートと前記断熱パネルを貫通し、前記裏当てプレートを前記外壁パネルに締め付ける締め付け部材と、を有し、当該締め付けによって前記複合パネルを前記起立片に取り付ける複合パネルの取り付け構造であって、前記断熱パネルを貫通し、一端が前記外壁パネルの裏面に当接し他端が前記起立片の前面に当接する、断熱パネルの圧壊防止部材を有し、前記圧壊防止部材は、前記断熱パネル面において略左右対称となるように複数設けられているものである。
【００１２】
本発明によれば、外壁パネルに外力が偏って作用してもその力が起立片に作用し断熱パネルに作用しないので、断熱パネルの圧壊を防止できる。
【００１３】
前記圧壊防止部材の前記外壁パネル側の端部には、鍔部が設けられていてもよい。かかる場合、外壁パネルと圧壊防止部材の接点において、外壁パネルに集中的な圧力が作用することがなく、外壁パネルの圧壊も防ぐことができる。
【００１４】
前記圧壊防止部材の前記起立片側の端部には、鍔部が設けられ、当該鍔部は、建物内部側から目視し得る位置に設けられていてもよい。かかる場合、圧壊防止部材の設置状態を確実に確認することができ、設置し忘れを防止することができる。
【発明の効果】
【００１５】
本発明によれば、複合パネルの耐久性を向上できる。
【図面の簡単な説明】
【００１６】
【図１】複合パネルの取り付け構造の構成の概略を示す縦断面の説明図である。
【図２】複合パネルの取り付け構造の正面図である。
【図３】複合パネルの両端部における圧壊防止部材の構成を示す縦断面の説明図である。
【図４】外壁パネル側の鍔部付きの圧壊防止部材の構成を示す縦断面の説明図である。
【図５】起立片側の鍔部付きの圧壊防止部材の構成を示す縦断面の説明図である。
【発明を実施するための形態】
【００１７】
以下、図面を参照して、本発明の好ましい実施の形態について説明する。図１は、本実施の形態に係る複合パネルの取り付け構造１の構成の概略を示す縦断面の説明図であり、図２は、複合パネルの取り付け構造１の正面図である。
【００１８】
複合パネルの取り付け構造１は、図１及び図２に示すように例えば建物の軸組の梁１０と、定規金物１１と、複合パネル１２と、裏当てプレート１３と、締め付け部材としてのボルト１４と、圧壊防止部材１５等を有している。
【００１９】
複合パネル１２は、外壁パネル２０と、外壁パネル２０の裏面の全面を覆う断熱パネル２１からなる。外壁パネル２０は、例えば軽量気泡コンクリートからなる。例えば外壁パネル２０の長さは、階高（下部梁天端から上部梁天端までの寸法）にほぼ等しく、幅寸法は基本的にＭ×１（３０５ｍｍ）とＭ×２（６１０ｍｍ）の２種類ある。
【００２０】
断熱パネル２１は、例えばフェノール樹脂発泡体（フェノールフォーム）の両面にポリエステル不織布を張り合わせたものである。断熱パネル２１の幅寸法及び高さ寸法は、外壁パネル２０の幅寸法及び高さ寸法とほぼ等しく対応している。建物の壁面は、一対の外壁パネル２０と断熱パネル２１からなる複合パネル１２が上下左右に並べられて形成されている。
【００２１】
定規金物１１は、例えば縦断面がＬ字形状を有する長尺の部材であり、梁１０の下面に固定された水平片２２と、複合パネル１２の裏面に沿って配置される起立片２３を有している。定規金物１１は、梁１０に沿って複合パネル１２の左右方向に向かって延びている。
【００２２】
例えば複合パネル１２の中央には、複合パネル１２を起立片２３に固定する固定部Ａが形成されている。固定部Ａの外壁パネル２０には、埋め込みナット３０が埋設されている。埋め込みナット３０は、例えば外壁パネル２０内部の補強鉄筋に溶接されている。また、固定部Ａの断熱パネル２１には、貫通孔３１が形成されている。
【００２３】
裏当てプレート１３は、例えば方形状でわずかに「く」字状に屈曲するように形成されている。裏当てプレート１３は、固定部Ａに対応する位置において、一部が起立片２３の裏面にかかるように複合パネル１２の裏面に当接されている。裏当てプレート１３には、ボルト１４が通る孔１３ａが形成されている。
【００２４】
例えば断熱パネル２１の貫通孔３１内には、硬質の合成樹脂からなる円筒部材４０が嵌め込まれている。円筒部材４０は、例えば断熱パネル２１の厚みよりもわずかに長く、一端が外壁パネル２０に当接し、他端が裏当てプレート１３に当接している。
【００２５】
ボルト１４は、裏当てプレート１３の孔１３ａ、筒状部材４０（貫通孔３１）を貫通し外壁パネル２０の埋め込みナット３０に嵌め込まれている。ボルト１４を締め付けることによって、複合パネル１２の全体を起立片２３に固定している。なお、円筒部材４０によって、ボルト１４の締め付け力が断熱パネル２１にかからないようになっている。
【００２６】
圧壊防止部材１５は、複合パネル１２の固定部Ａを挟んだ両端部Ｂに、複合パネル１２面においてほぼ左右対称となるように設けられている。図３に示すように両端部Ｂは、起立片２３の先端付近に位置し、一部が起立片２３にかかっている。
【００２７】
両端部Ｂの断熱パネル２１には、貫通孔５０が形成されている。圧壊防止部材１５は、例えば円筒状に形成され、貫通孔５０に嵌め込まれている。圧壊防止部材１５は、断熱パネル２１の厚みよりも長く、一端が外壁パネル２０に当接し他端が起立片２３に当接している。圧壊防止部材１５は、例えば塩化ビニル等の硬質の合成樹脂により形成されている。なお、圧壊防止部材１５の材質は、強度及び耐久性があり且つ熱橋となりにくい材料であれば硬質の合成樹脂には限定されない。圧壊防止部材１５は、一部が起立片２３の下に位置し、他の部分が露出しているので、建物内部側から目視できる。
【００２８】
例えば強風等により外壁パネル２０に不規則で偏った外力（負圧）が作用した際には、固定部Ａを支点として外壁パネル２０が前後に動こうとする。本実施の形態によれば、このとき外壁パネル２０に作用した外力が、両端部Ｂの圧壊防止部材１５を介して起立片２３にかかり、断熱パネル２１には作用しない。この結果、断熱パネル２１に圧縮力がかかることがなく、断熱パネル２１の圧壊を防止できる。
【００２９】
以上の実施の形態では、圧壊防止部材１５が円筒状であったが、他の形状であってもよい。例えば図４に示すように圧壊防止部材１５の外壁パネル２０側の端部に鍔部１５ａが設けられていてもよい。かかる場合、外壁パネル２０と圧壊防止部材１５の接点において、外壁パネル２０に集中的な圧力が作用することがなく、外壁パネル２０の圧壊も防ぐことができる。
【００３０】
また、図５に示すように圧壊防止部材１５の起立片２３側の端部に鍔部１５ｂが設けられ、当該鍔部１５ｂが建物内部側から目視し得る位置に設けられていてもよい。こうすることにより、圧壊防止部材１５の設置状態を確実に確認することができ、設置し忘れを防止することができる。
【００３１】
以上、添付図面を参照しながら本発明の好適な実施の形態について説明したが、本発明はかかる例に限定されない。当業者であれば、特許請求の範囲に記載された思想の範疇内において、各種の変更例または修正例に想到し得ることは明らかであり、それらについても当然に本発明の技術的範囲に属するものと了解される。
【００３２】
例えば以上の実施の形態において、複合パネル１２における圧壊防止部材１５の設置数、設置位置は外力の偏りに対応しうる範囲で任意に選択できる。
【００３３】
また、固定部Ａにおける断熱パネルの固定方法は他の方法であってもよい。例えば、ボルト１４は、中間部に鍔を有し鍔の前後でネジの切り方が逆となっている特殊な固定ボルト（トルクレスボルト）を用い、当該鍔を外壁パネル２０の裏面に接触するようにねじ入れ、当該鍔とナットで断熱パネル２１（及び円筒部材４０）及び裏当てプレート１３を挟むようにしてもよい。また、筒状部材４０を省略し、トルクレスボルトをその鍔が断熱パネル２１の裏面に接触する位置までねじ入れ、裏当てプレート１３を鍔とナットで挟むようにしてもよい。
【産業上の利用可能性】
【００３４】
本発明は、複合パネルの取り付け構造において断熱パネルの圧壊を防止する際に有用である。
【符号の説明】
【００３５】
１  複合パネルの取り付け構造
１０  梁
１１  定規金物
１２  複合パネル
１３  裏当てプレート
１４  ボルト
１５  圧壊防止部材
２０  外壁パネル
２１  断熱パネル
２３  起立片
Ａ  固定部
Ｂ  両端部
【図１】
2012122300.tif 000003
【図２】
2012122300.tif 000004
【図３】
2012122300.tif 000005
【図４】
2012122300.tif 000006
【図５】
2012122300.tif 000007